(57)【特許請求の範囲】
【請求項１】
左右一対の大胸筋のうちの一方を覆う胸パッド部と、
左右一対の僧帽筋のうちの一方に対応して配設された肩当て部と、
前記胸パッド部と前記肩当て部とを、左右一対の肩のうちの一方を経由して前後に連結するベルト状の連結部と、を備え、
前記胸パッド部を基準として前記肩当て部及び前記連結部を平面状に展開した展開状態において、前記胸パッド部及び前記肩当て部の左右方向の幅を、前記連結部の左右方向の幅よりも幅広に設定するとともに、
少なくとも前記胸パッド部及び前記肩当て部のそれぞれの内面に塗布されて、前記胸パッド部及び前記肩当て部を身体に対して剥離可能に接着する粘着剤を有する、
ことを特徴とする整形パッド。
【請求項２】
展開状態において、前記胸パッド部と前記連結部との境界線における左端と右端とを結ぶ線分の中点を第１中点とし、前記肩当て部と前記連結部との境界線における左端と右端とを結ぶ線分の中点を第２中点とし、前記第１中点と前記第２中点とを通る直線を中心線とし、前記中心線を基準としてこれよりも前記身体の中央に近い側を内側、遠い側を外側としたときに、
前記肩当て部は、左右方向及び上下方向の中心が、前記中心線よりも外側に位置する、
ことを特徴とする請求項１に記載の整形パッド。
【請求項３】
前記肩当て部は、前記連結部よりも厚いパッド状に形成されている、
ことを特徴とする請求項１又は２に記載の整形パッド。
【請求項４】
前記肩当て部は、前記連結部と同様の厚さに形成されている、
ことを特徴とする請求項１又は２に記載の整形パッド。
【請求項５】
前記連結部は、長さ調整が可能である、
ことを特徴とする請求項１ないし４のいずれか１項に記載の整形パッド。
【請求項６】
基端側が前記胸パッド部の下部外側に連結され、先端側がさらに外側に延びて一方の脇の下に向かう脇シートを備える、
ことを特徴とする請求項１ないし５のいずれか１項に記載の整形パッド。
【請求項７】
前記胸パッド部の内面に装着して前記胸パッド部の厚さを増加させる着脱自在のオプションパッドを備える、
ことを特徴とする請求項１ないし６のいずれか１項に記載の整形パッド。
【請求項８】
前記胸パッド部の内側端部、及び他方の胸パッド部の内側端部に、相互に係脱自在な係合部を有する、
ことを特徴とする請求項１ないし７のいずれか１項に記載の整形パッド。
【発明の詳細な説明】
【技術分野】
【０００１】
本発明は、身体に直接、装着し、その上に下着等を付けることにより、胸が豊かになったように見せる整形パッドに関する。
【背景技術】
【０００２】
従来、貧弱な大胸筋を豊かに見せる男性用上衣として、特許文献１のようなものが提案されている。【０００３】
このものは、その要約書の[解決手段]に、「本発明による男性用上衣は上部中央に首開放部と上側左右側にそれぞれ腕開放部を有するように両側面と両肩部位を縫製してなされた前面板と後面板１１，１２と、着用者の左／右大胸筋を収容するようにそれぞれ内側に凹溝２７をもっており、前記凹溝２７を成す下端から肩部位に向かって段々厚さと幅が小さくなるとともに、それぞれ左／右大胸筋の中心から左／右に厚さと幅が狭くなる形状を有し、前記前面板内側の左／右大胸筋に対向した位置に付着している一対の大胸筋補強パッド２１とから構成され、上衣着用時に大胸筋のよく発達した男性の外面をもっているように見られる。」と記載されている。
【先行技術文献】
【特許文献】
【０００４】
【特許文献１】特開平１１−５０３０９号公報
【発明の概要】
【発明が解決しようとする課題】
【０００５】
しかしながら、従来技術によると、男性用上衣は、その外面からは、着用者の大胸筋がよく発達したように見せることはできるものの、大胸筋補強パッドが男性用上衣に収納されているため、大胸筋補強パッドの動きが、着用者の身体の動きに対して、微妙にずれてしまうという問題があった。【０００６】
すなわち、例えば、上半身をねじったような場合、身体と男性用上衣との間に隙間が発生し、上半身のねじれに対して、男性用上衣が的確に追随することなく、不自然に見えてしまうという問題である。【０００７】
本発明は、上述した事情に鑑みてなされたものであり、大胸筋が豊かになって胸板が厚くなったように見せながら、身体の動きに対し的確に追随するようにした整形パッドを提供することを目的とする。
【課題を解決するための手段】
【０００８】
請求項１に係る発明は、整形パッドにおいて、左右一対の大胸筋のうちの一方を覆う胸パッド部と、左右一対の僧帽筋のうちの一方に対応して配設された肩当て部と、胸パッド部と肩当て部とを、左右一対の肩のうちの一方を経由して前後に連結するベルト状の連結部と、を備え、胸パッド部を基準として肩当て部及び連結部を平面状に展開した展開状態において、胸パッド部及び肩当て部の左右方向の幅を、連結部の左右方向の幅よりも幅広に設定するとともに、少なくとも胸パッド部及び肩当て部のそれぞれの内面に塗布されて、胸パッド部及び肩当て部を身体に対して剥離可能に接着する粘着剤を有する、ことを特徴とする。【０００９】
請求項２に係る発明は、請求項１に係る整形パッドにおいて、展開状態において、胸パッド部と連結部との境界線における左端と右端とを結ぶ線分の中点を第１中点とし、肩当て部と連結部との境界線における左端と右端とを結ぶ線分の中点を第２中点とし、第１中点と第２中点とを通る直線を中心線とし、中心線を基準としてこれよりも身体の中央に近い側を内側、遠い側を外側としたときに、肩当て部は、左右方向及び上下方向の中心が、中心線よりも外側に位置する、ことを特徴とする。
請求項３に係る発明は、請求項１又は２に係る整形パッドにおいて、肩当て部は、連結部よりも厚いパッド状に形成されている、ことを特徴とする。
請求項４に係る発明は、請求項１又は２に係る整形パッドにおいて、肩当て部は、連結部と同様の厚さに形成されている、ことを特徴とする。
請求項５に係る発明は、請求項１ないし４のいずれか１項に係る整形パッドにおいて、連結部は、長さ調整が可能である、ことを特徴とする。【００１０】
請求項６に係る発明は、請求項１ないし５のいずれか１項に係る整形パッドにおいて、基端側が胸パッド部の下部外側に連結され、先端側がさらに外側に延びて一方の脇の下に向かう脇シートを備える、ことを特徴とする。【００１１】
請求項７に係る発明は、請求項１ないし６のいずれか１項に係る整形パッドにおいて、胸パッド部の内面に装着して胸パッド部の厚さを増加させる着脱自在のオプションパッドを備える、ことを特徴とする。【００１２】
請求項８に係る発明は、請求項１ないし７のいずれか１項に係る整形パッドにおいて、胸パッド部の内側端部、及び他方の胸パッド部の内側端部に、相互に係脱自在な係合部を有する、ことを特徴とする。
【発明の効果】
【００１３】
請求項１の発明によれば、整形パッドは、胸パッド部と肩当て部とが、肩に掛ける連結部によって前後に連結されている。これにより、整形パッドは、接着前の位置決めが容易である。すなわち、胸パッド部の位置決めに必要なのは、左右方向の位置、上下方向の位置、そして、ねじれ（上下方向の不要な傾斜）である。まず、左右方向の位置については、連結部の幅方向の内側の端部を肩と首との間に当てた状態で、胸パッド部を前側に、また、肩当て部を後側に垂らせば、左右方向の位置が決まり、同時にねじれの無い状態となる。次に、上下方向の位置については、使用者が微調整することで決めることができる。【００１４】
また、整形パッドは、胸パッド部を基準として肩当て部及び連結部を平面状に展開した展開状態において、胸パッド部及び肩当て部の左右方向の幅を、連結部の左右方向の幅よりも幅広に設定している。逆に言うと、連結部の左右方向の幅は、胸パッド部及び肩当て部の左右方向の幅よりも幅狭に設定している。すなわち、連結部は、胸パッド部と肩当て部とを連結するのが主な作用であるので、胸パッド部及び肩当て部の左右方向の幅よりも幅狭で十分である。【００１５】
また、整形パッドは、少なくとも胸パッド部及び肩当て部の内面に粘着剤が塗布されている。これにより、整形パッドは、身体の動きに忠実に追随する。すなわち、整形パッドは、粘着剤によって直接、身体に接着することにより、身体に密着させることができる。このため、整形パッドは、従来の、衣類に収納するために身体の動きと微妙にずれが生じる場合と比較して、身体の動きに忠実に追随した、いわゆる自然な動きとすることができる。【００１６】
さらに、整形パッドは、大胸筋を覆う胸パッド部を備えている。これにより、例えば、整形パッドの上にＴシャツ等を着用した場合、大胸筋が豊かになって胸板が厚くなったように見せることができる。
さらにまた、整形パッドは、粘着剤によって、身体に対し剥離可能に接着するので、不要な場合には、身体から容易に取り外すことができる。
なお、整形パッドは、男女兼用である。【００１７】
請求項２の発明によれば、整形パッドは、展開状態において、第１中点と第２中点とを通る直線を中心線とし、中心線を基準としてこれよりも身体の中央に近い側を内側、遠い側を外側としたときに、肩当て部は、左右方向及び上下方向の中心が、中心線よりも外側に位置する。これにより、連結部を肩に掛けた際に、連結部は、肩に倣って幅方向の外側が下がり気味となり、肩当て部は、中心の位置が中央側にずれる。すなわち、整形パッドは、肩当て部の中心が、展開状態において上述のようにずれているので、連結部を肩に掛けた際には、逆に、自然な位置に垂れさがるようになる。
請求項３の発明によれば、肩当て部は、連結部よりも厚いパッド状に形成されているので、僧帽筋が豊かになったように見せることができる。【００１８】
請求項４の発明によれば、肩当て部は、連結部と同様の厚さに形成されているので、請求項３とは異なり、僧帽筋が豊かになったように見せる必要がない場合、例えば、整形パッドが女性用である場合に好適である。【００１９】
請求項５の発明によれば、連結部は、長さ調整が可能であるので、その長さを調整することにより、胸パッド部及び肩当て部の位置を、使用者に合わせた好適な位置に設定することができる。【００２０】
請求項６の発明によれば、脇シートは、基端側が胸パッド部の下部外側に連結され、先端側がさらに外側に延びて一方の脇の下に向かうので、脇の下近傍に密着されて、胸パッド部の不要な動きをさらに規制することができる。
請求項７の発明によれば、オプションパッドは、胸パッド部の内面に着脱自在に装着して胸パッド部の厚さを増加することができる。【００２１】
請求項８の発明によれば、一方の胸パッド部の内側端部、及び他方の胸パッド部の内側端部に、相互に係脱自在な係合部を設けたので、これらを係合することにより、一方及び他方の整形パッドが、男性用の場合には、一方及び他方の胸パッド部の位置ずれをさらに防止することができ、また、女性用の場合には、胸を中央に寄せることができる。
【図面の簡単な説明】
【００２２】
【図１】展開状態の整形パッド１Ｌの斜視図である。
【図２】同じく整形パッド１Ｌの正面図である。
【図３】同じく整形パッド１Ｌを、図２中の矢印Ｋ１方向から見た図である。
【図４】同じく整形パッド１Ｌを、図２中の矢印Ｋ２方向から見た図である。
【図５】同じく整形パッド１Ｌの、図２中のＡ−Ａ線矢視図である。
【図６】同じく整形パッド１Ｌの、図２中のＢ−Ｂ線矢視図である。
【図７】整形パッド１Ｌ，１Ｒの使用状態を示す、使用者Ｈの左斜め前方から見た斜視図である。
【図８】整形パッド１Ｌ，１Ｒの使用状態を示す、使用者Ｈの後方から見た図である。
【図９】（Ａ）、（Ｂ）は整形パッド１Ｌの梱包方法、及び搬送方法を説明する図である。
【図１０】（Ａ）は補助パッド７０を説明する図であり、（Ｂ）は補助パッド８０を説明する図である。
【図１１】（Ａ）〜（Ｃ）はオプションパッド６０の層構成を説明する図である。
【図１２】整形パッドの製造方法を説明する図である。
【図１３】整形パッド１Ｒの、プレス工程Ｓ３を説明する図である。
【図１４】プレス工程Ｓ３後の整形パッド１Ｒと、被膜工程Ｓ５後の整形パッド１Ｌとを説明する図である。
【図１５】製品としての整形パッド１Ｒを説明する図である。
【発明を実施するための形態】
【００２３】
以下、本発明を適用した実施形態を、図面に基づいて詳述する。なお、各図面において、同じ符号を付した部材等は、同一又は類似の構成のものであり、これらについての重複説明は適宜省略するものとする。また、各図面においては、説明に不要な部材等は適宜、図示を省略している。
＜実施形態１＞
図１〜図８を参照して、本発明を適用した実施形態１に係る整形パッド１Ｌ，１Ｒについて説明する。
【００２４】
以下の説明では、一方の整形パッドを左の整形パッド１Ｌ、また、他方の整形パッドを右の整形パッド１Ｒとして説明するが、この逆であってもよい。また、左右の整形パッド１Ｌ，１Ｒは、展開状態において、図２に示す身体の中央ＣＢ（使用者Ｈの身体の左右の中心を通る中心線に対応）に対して鏡面関係にある（ただし、右の整形パッド１Ｒは不図示）。ここで、展開状態とは、例えば、左の整形パッド１Ｌにおいて、胸パッド部１０を、図７に示す使用状態に近い状態として、この胸パッド部１０を基準に、肩当て部２０、連結部３０、及び脇シート４０を平面状に展開した状態をいう。
【００２５】
以上のように、左右の整形パッド１Ｌ，１Ｒは、構成については左右の勝手違いであり、作用、効果については、同等である。以下では、左の整形パッド１Ｌ（単に、整形パッド１Ｌという。）を中心に、適宜、右の整形パッド１Ｒ（単に、整形パッド１Ｒという。）も混ぜて説明する。
【００２６】
図１〜図８のうち、図１は、展開状態の整形パッド１Ｌの斜視図である。また、図２は、同じく整形パッド１Ｌの正面図である。また、図３は、同じく整形パッド１Ｌを、図２中の矢印Ｋ１方向から見た図である。また、図４は、同じく整形パッド１Ｌを、図２中の矢印Ｋ２方向から見た図である。また、図５は、同じく整形パッド１Ｌの、図２中のＡ−Ａ線矢視図である。また、図６は、同じく整形パッド１Ｌの、図２中のＢ−Ｂ線矢視図である。また、図７は、整形パッド１Ｌ，１Ｒの使用状態を示す、使用者Ｈの左斜め前方から見た斜視図である。また、図８は、整形パッド１Ｌ，１Ｒの使用状態を示す、使用者Ｈの後方から見た図である。
整形パッド１Ｌは、図１〜図４に示すように、胸パッド部１０、肩当て部２０、連結部３０、及び脇シート４０を備えている。
【００２７】
胸パッド部１０は、図１〜図６に示すように、左右一対の大胸筋のうち、左の大胸筋を覆う形状に形成されている。胸パッド部１０は、外面２１の左右方向及び上下方向の中心近傍の厚さが厚い、なだらかな山状に形成されていて、全体は弾性を有するスポンジ状に形成されている。
【００２８】
胸パッド部１０の内面１２は、図４〜図６に示すように、少し外面１１側に窪んでいて、粘着剤Ｎが塗布されている。胸パッド部１０は、内面１２を大胸筋に当てて、粘着剤Ｎで大胸筋に剥離可能に接着することで、身体に密着させることができる。つまり、胸パッド部１０は、大胸筋が豊かになって胸板が厚くなったように見せるものである。
【００２９】
胸パッド部１０の内面１２には、胸パッド部１０の中心を挟んで左右に２個の円柱状の穴１３が形成されている。これらの穴１３は、後述するオプションパッド６０を取り付けるためのものである。したがって、オプションパッド６０が不要な場合には、これらの穴１３は設ける必要はない。
【００３０】
肩当て部２０は、図１、図２に示すように、左右一対の僧帽筋のうち、左の僧帽筋に対応して配設されている。肩当て部２０は、胸パッド部１０よりも少し小さく、そら豆のような形状をしていて、厚さ（外面２１と内面２２との距離）についても、胸パッド部１０よりも薄く形成されている。肩当て部２０全体は、弾性を有するスポンジ状に形成されている。肩当て部２０は、内面２２が平面状に形成されていて、粘着剤Ｎが塗布されている。肩当て部２０は、内面２２を僧帽筋に当てて、粘着剤Ｎで僧帽筋に剥離可能に接着することで、身体に密着させることができる。つまり、肩当て部２０は、僧帽筋が豊かになったように見せるものである。
【００３１】
肩当て部２０は、図２に示すように、整形パッド１Ｌを平面状に展開した展開状態において、左右方向及び上下方向の中心Ｃが、後述する連結部３０の左右方向の幅方向の中心線ＣＬよりも外側（左側）に位置するように設定されている。
【００３２】
なお、肩当て部２０としては、上述のようにパッド状に形成するのに代えて、後述する連結部３０と同様な厚さに形成してもよい。この場合には、僧帽筋が豊かになったように見せる必要がない場合、例えば、左右の整形パッド１Ｌ，１Ｒが女性用である場合に好適である。
【００３３】
なお、上述の整形パッド１Ｌにおいて、胸パッド部１０、及び肩当て部２０のそれぞれの内面１２，２２に適宜な間隔で、マグネットを配設するようにしてもよい。この場合には、血行が良くなって、肩こり等が解消される。
【００３４】
連結部３０は、図１〜図３に示すように、胸パッド部１０と肩当て部２０とを左肩を経由して前後に連結するベルト状の部材である。連結部３０は、厚さ（外面３１と内面３２との距離）が薄く形成されている。
【００３５】
また、展開状態において、胸パッド部１０の左右方向の幅Ｗａ及び肩当て部２０の左右方向の幅Ｗｂを、連結部３０の左右方向の幅（ほぼ胸パッド部１０と連結部３０との境界線Ｂａの左端Ｂ１と右端Ｂ２とを通る線分の長さ）よりも幅広に設定している。
【００３６】
連結部３０は、内面３２に粘着剤Ｎが塗布されている。連結部３０は、内面３２を左肩に当てて、粘着剤Ｎで左肩に剥離可能に接着することで、身体に密着させることができる。
【００３７】
なお、連結部３０の内面３２には、粘着剤Ｎが塗布されていなくてもよい。また、連結部３０は、長さ調整可能に形成してもよい。連結部３０の長さを調整することにより、胸パッド部１０、及び肩当て部２０の位置を、使用者Ｈに合わせて好適な位置とすることができる。
【００３８】
さらに、展開状態において、胸パッド部１０と連結部３０との境界線Ｂａにおける左端Ｂ１と右端Ｂ２とを結ぶ線分の中点を第１中点Ｍａとし、肩当て部２０と連結部３０との境界線Ｂｂにおける左端Ｂ３と右端Ｂ４とを結ぶ線分の中点を第２中点Ｍｂとし、これら第１中点Ｍａと第２中点Ｍｂとを通る直線を中心線ＣＬとし、この中心線ＣＬを基準としてこれよりも身体の中央ＣＢに近い側を内側、遠い側を外側としたときに、肩当て部２０は、左右方向及び上下方向の中心Ｃ（左右方向の幅Ｗｂ及び上下方向の幅Ｗｃの中心Ｃのことをいう）が、中心線ＣＬよりも外側に位置している。
【００３９】
脇シート４０は、図１〜図３に示すように、基端４１側が胸パッド部１０の下部外側（下部左側）に連結され、先端４２側がさらに外側（左側）に延びて左の脇の下に向かうシート状の部材である。脇シート４０は、合成樹脂、例えば、セルロイドによって形成されている。
【００４０】
脇シート４０は、粘着剤Ｎは塗布されていないものの、例えば、身体に対して密着しやすいため、胸パッド部１０の不要な動きをさらに規制することができる。すなわち、胸パッド部１０が身体の前面に接着されるものとすれば、脇シート４９は、身体の側面に密着されて、胸パッド部１０が身体から剥がれる方向の動きを規制する。
なお、脇シート４０がなくても、胸パッド部１０等の位置を精度よく保つことができる場合には、この脇シート４０はなくてもよい。
以上では、左の整形パッド１Ｌについて説明したが、右の整形パッド１Ｒについても同様の構成であり、また、同様の作用、効果を奏するものである。
【００４１】
なお、左右の整形パッド１Ｌ，１Ｒは、左の胸パッド部１０の内側端部（右端部）、及び右の胸パッド部１０の内側端部（左端部）に、相互に係脱自在な係合部を設け、これらを係合することにより、左右の整形パッド１Ｌ，１Ｒが、男性用の場合には、左右の胸パッド部１０の位置ずれをさらに防止することができ、また、女性用の場合には、胸を中央に寄せることができる。なお、係合部としては、ホック、スナップボタン、面ファスナーなどを使用することができる。
図７、図８に、以上説明した整形パッド１Ｌ，１Ｒを使用者Ｈに装着した例を示す。
【００４２】
整形パッド１Ｌ，１Ｒは、それぞれの胸パッド部１０、肩当て部２０、連結部３０のそれぞれの内面１２、２２、３２に粘着剤Ｎが塗布されているので、この粘着剤Ｎを身体に接着することにより、使用者Ｈの身体の所定の位置に密着した状態で貼り付けることができる。
図９（Ａ）、（Ｂ）に、整形パッド１Ｌの梱包の仕方、及び持ち歩きの仕方を図示する。
整形パッド１Ｌの胸パッド部１０よりも少し大きいプラスチック板５０を準備する。
【００４３】
図９（Ａ）に示すように、このプラスチック板５０の一方の面５１に、整形パッド１Ｌの胸パッド部１０を内面１２（図４参照）の粘着剤Ｎにより、貼り付ける。
整形パッド１Ｌを連結部３０で２つ折りにする。
図９（Ｂ）に示すように、プラスチック板５０の他方の面５２に、肩当て部２０を粘着剤Ｎにより貼り付ける。
この状態で、整形パッド１Ｌを梱包し、搬送し、また、不使用時に使用者Ｈが保管することができる。
これによると、梱包時、搬送時、保管時等に、整形パッド１Ｌの形が崩れたり、粘着剤Ｎが他の部材に付いたりすることを防止できる。
【００４４】
次に、図１０、図１１を参照して、整形パッド１Ｌのオプションパッド６０について説明する。このうち、図１０（Ａ）は、補助パッド７０を説明する図であり、上から順に、補助パッド７０の正面図、側面図、背面図、及びＤ−Ｄ線矢視図である。また、図１０（Ｂ）は、補助パッド８０を説明する図であり、上から順に、補助パッド８０の正面図、側面図、背面図、及びＥ−Ｅ線矢視図である。また、図１１（Ａ）〜（Ｃ）は、オプションパッド６０の層構成を説明する図である。
オプションパッド６０としては、大きさ（外径）及び厚さがほぼ等しい２種類の補助パッド７０，８０が準備されている。
【００４５】
このうち、補助パッド７０は、胸パッド部１０よりも小さい、円板状の部材であり、例えば、シリコーンによって形成されている。補助パッド７０の外面７１には、上述の図２、図４〜図６に示す２個の穴１３に嵌まり込む２個のボス７３が凸設されている。また、内面７２には、吸水布７４が貼着されていて、この吸水布７４が直接、使用者Ｈの身体に触れるようになっている。
【００４６】
一方、補助パッド８０は、補助パッド７０と同じ大きさの円板状の部材であり、例えば、シリコーンによって形成されている。補助パッド８０の外面８１には、上述の図２、図４〜図６に示す２個の穴１３に嵌まり込む２個のボス８３が凸設されている。また、内面８２には、上述の２個のボス８３に対応する位置に２個の穴８４が凹設されている。
これら補助パッド７０，８０は、図１１（Ａ）〜（Ｃ）のようにして使用する。
【００４７】
図１１（Ａ）は、オプションパッド６０として、１枚の補助パッド７０を使用する例を示す。補助パッド７０の外面７１の２個のボス７３（図１０（Ａ）参照）を、胸パッド部１０の内面１２の２個の穴１３（図６参照）に嵌合して取り付ける。
【００４８】
図１１（Ｂ）は、オプションパッド６０として、２枚の補助パッド、すなわち１枚の補助パッド７０と、１枚の補助パッド８０を使用する例を示す。上側に補助パッド８０を使用し、外面８１の２個のボス８３（図１０（Ｂ）参照）を胸パッド部１０の内面１２の２個の穴１３（図６参照）に嵌合して取り付ける。さらに、補助パッド８０の下側に補助パッド７０を取り付ける。補助パッド７０の外面７１の２個のボス７３（図１０（Ａ）参照）を補助パッド８０の内面８２の２個の穴８４に嵌合して取り付ける。
【００４９】
図１１（Ｃ）は、オプションパッド６０として、３枚の補助パッド、すなわち１枚の１枚の補助パッド７０と２枚の補助パッド８０を使用する例を示す。図１１（Ｂ）の状態の補助パッド７０，８０の間に、さらに、補助パッド８０を取り付ければよい。
【００５０】
以上の図１１（Ａ）〜（Ｃ）のいずれの場合も、最下部に位置する補助パッドは、使用者Ｈの身体に直接、接触する部分に吸水布７４を有する補助パッド７０とする。
このように、オプションパッド６０を、胸パッド部１０の内面１２に着脱自在に装着することにより、胸パッド部１０の厚さを増加することができる。
【００５１】
ここで、整形パッド１Ｌ，１Ｒの効果について整理する。なお、以下では主に左の整形パッド１Ｌの効果について説明するが、右の整形パッド１Ｒについても同様である。
【００５２】
・整形パッド１Ｌは、胸パッド部１０と肩当て部２０とが、肩に掛ける連結部３０によって前後に連結されている。これにより、整形パッド１Ｌは、接着前の位置決めが容易である。すなわち、胸パッド部１０の位置決めに必要なのは、左右方向の位置、上下方向の位置、そして、ねじれ（上下方向の不要な傾斜）である。まず、左右方向の位置については、連結部３０の幅方向の内側の端部を肩と首との間に当てた状態で、胸パッド部１０を前側に、また、肩当て部２０を後側に垂らせば、左右方向の位置が決まり、同時にねじれの無い状態となる。次に、上下方向の位置については、使用者Ｈが微調整することで決めることができる。
【００５３】
また、整形パッド１Ｌは、胸パッド部１０を基準として肩当て部２０及び連結部３０を平面状に展開した展開状態において、胸パッド部１０及び肩当て部２０の左右方向の幅を、連結部３０の左右方向の幅よりも幅広に設定している。逆に言うと、連結部３０左右方向の幅は、胸パッド部１０及び肩当て部２０の左右方向の幅よりも幅狭に設定している。すなわち、連結部３０は、胸パッド部１０と肩当て部２０とを連結するのが主な作用であるので、胸パッド部１０及び肩当て部２０の左右方向の幅よりも幅狭で十分である。
【００５４】
また、整形パッド１Ｌは、胸パッド部１０、肩当て部２０、及び連結部３０の内面１２，２２，３２に粘着剤Ｎが塗布されている。これにより、整形パッド１Ｌは、身体の動きに忠実に追随する。すなわち、整形パッド１Ｌは、粘着剤Ｎによって直接、身体に接着することにより、身体に密着させることができる。このため、整形パッド１Ｌは、従来の衣類に収納するために身体の動きと微妙にずれが生じる場合と比較して、身体の動きに忠実に追随した、いわゆる自然な動きとすることができる。なお、連結部３０の内面１２には、粘着剤Ｎがなくてもよい。
【００５５】
さらに、整形パッド１Ｌは、大胸筋を覆う胸パッド部１０を備えている。これにより、例えば、整形パッド１Ｌの上にＴシャツ等を着用した場合、大胸筋が豊かになって胸板が厚くなったように見せることができる。
さらにまた、整形パッド１Ｌは、粘着剤Ｎによって、身体に対し剥離可能に接着するので、不要な場合には、身体から容易に取り外すことができる。
なお、整形パッド１Ｌは、男女兼用である。
【００５６】
・整形パッド１Ｌは、展開状態において、第１中点Ｍａと第２中点Ｍｂとを通る直線を中心線ＣＬとし、中心線ＣＬを基準としてこれよりも身体の中央ＣＢに近い側を内側、遠い側を外側としたときに、肩当て部２０は、左右方向及び上下方向の中心Ｃが、中心線ＣＬよりも外側に位置する。これにより、連結部３０を肩に掛けた際に、連結部３０は、肩に倣って幅方向の外側が下がり気味となり、肩当て部２０は、中心Ｃの位置が中央ＣＢ側にずれる。すなわち、整形パッド１Ｌは、肩当て部２０の中心Ｃが、展開状態において上述のようにずれているので、連結部３０を肩に掛けた際には、逆に、自然な位置に垂れさがるようになる。
・肩当て部２０は、連結部３０よりも厚いパッド状に形成されている場合には、僧帽筋が豊かになったように見せることができる。
【００５７】
・脇シート４０は、基端４１側が胸パッド部１０の下部外側に連結され、先端４２側がさらに外側に延びて左の脇の下に向かうので、脇の下近傍に密着されて、胸パッド部１０の不要な動きをさらに規制することができる。
図１２〜図１５を参照して、整形パッド１Ｌ，１Ｒの製造方法について説明する。
【００５８】
ここで、図１２は、整形パッド１Ｌ，１Ｒの製造工程を説明する図である。また、図１３は、右の整形パッド１Ｒの、プレス工程Ｓ３を説明する図である。また、図１４は、プレス工程Ｓ３後の右の整形パッド１Ｒと、被膜工程Ｓ５後の左の整形パッド１Ｌとを説明する図である。また、図１５は、製品としての右の整形パッド１Ｒを説明する図である。
なお、以下で説明する整形パッド１Ｌ，１Ｒは、脇シート４０及びオプションパッド６０を取り付けるための穴１３は、省略している。
【００５９】
整形パッドの製造工程は、図１２に示すように、貼着工程Ｓ１、第１切断工程Ｓ２、プレス工程Ｓ３、塗布工程Ｓ４、被膜工程Ｓ５、及び第２切断工程Ｓ６を有している。これら貼着工程Ｓ１〜第２切断工程Ｓ６により、図１５に示す右の整形パッド１Ｒ、すなわち胸パッド部１０、肩当て部２０、及び連結部３０を備えた右の整形パッド１Ｒを製造することができる。
つづいて、貼着工程Ｓ１から第２切断工程Ｓ６までの各工程を説明する。
[貼着工程Ｓ１]
生地とスポンジとを貼り合わせる工程である。
【００６０】
生地としては、表地と裏地とを使用する。大きめの表地と大きめの８ｍｍ厚のスポンジとを貼り合わせる。また、大きめの裏地と大きめの８ｍｍ厚のスポンジとを貼り合わせる。裏地は、直接、使用者Ｈの身体に触れるため、裏地とこれに貼り合わせるスポンジとには、多数の通気孔を形成しておくとよい。
[第１切断工程Ｓ２]
貼着工程Ｓ１後の素材を切断する工程である。
【００６１】
大きめの表地と大きめの８ｍｍ厚のスポンジとを貼り合わせた素材を切断し、製品としての整形パッド１Ｒよりも少し大きい長方形の素材Ｍ１とする。同様に、大きめの裏地と大きめのスポンジとを貼り合わせた素材を切断し、製品としての整形パッドよりも少し大きい長方形の素材Ｍ２とする。
[プレス工程Ｓ３]
第１切断工程Ｓ２後の素材Ｍ１，Ｍ２等を、金型で加熱加圧する工程である。
まず、素材Ｍ１，Ｍ２等を重ねて、層構造とする。
【００６２】
素材Ｍ１を、表地が下側に、スポンジが上側に位置するように置き、その上に、素材Ｍ２を、裏地が上側に、スポンジが下側に位置するように置く。さらに、胸パッド部１０に対応する部分には、２つのスポンジの間に、別の８ｍｍ厚のスポンジを挿入する。
すなわち、胸パッド部１０に対応する部分は３層構造に、また、肩当て部２０及び連結部３０に対応する部分は２層構造とする。
次に、層構造の素材を、図１３に示す下型９１と上型９２とからなる金型９０で挟み込む。
層構造に重ねた素材Ｍ１，Ｍ２等を下型９１に載せ、上型９２で挟み込んで、加熱加圧する。このとき、例えば、温度１８０℃、プレス時間５分／回とする。
なお、プレス工程Ｓ３後の、加熱加圧された各部の厚さは次のようになる。ただし、表地及び裏地の厚さは無視する。
３層構造の胸パッド部１０に対応する部分は、８ｍｍ×３＝２４ｍｍであったものが、プレス工程Ｓ３後には、最も厚い部分で、１６ｍｍとなる。
２層構造の肩当て部２０に対応する部分は、８ｍｍ×２＝１６ｍｍであったものが、プレス工程Ｓ３後には、最も厚い部分で、８ｍｍとなる。
２層構造の連結部３０に対応する部分は、８ｍｍ×２＝１６ｍｍであったものが、プレス工程Ｓ３後には、最も厚い部分で、２ｍｍとなる。
[塗布工程Ｓ４]
プレス工程Ｓ３後の素材Ｍ２の内面に粘着剤Ｎを塗布する工程である。
【００６３】
図１４の上側の図に示すように、整形パッド１Ｌの胸パッド部１０、肩当て部２０、及び連結部３０のそれぞれの内面１２，２２，３２に相当する部分に、少し大きめに（内面１２，２２，３２から少しはみ出すように）粘着剤Ｎを塗布する。
[被膜工程Ｓ５]
塗布工程Ｓ４後の粘着剤を保護フィルムＦで覆う工程である。
図１４の上側の図に示すように、粘着剤Ｎの上から保護フィルムＦを被せる。
【００６４】
なお、保護フィルムＦを被せることにより、梱包時、搬送時等に粘着剤Ｎが他の部材に不要にくっつくことを防止することができる。この保護フィルムＦは、使用者Ｈが整形パッド１Ｌ，１Ｒをはじめて使用する際に剥がすことになる。
[第２切断工程Ｓ６]
被膜工程Ｓ５後の素材Ｍ１，Ｍ２を所定の形状に切断して製品とする工程である。
【００６５】
図１４の上側及び下側の図に示す外形線Ｌに沿って切断することにより、図１５に示す、胸パッド部１０、肩当て部２０、及び連結部３０を備えた整形パッド１Ｒを得ることができる。
【符号の説明】
【００６６】
１Ｌ    左（一方）の整形パッド
１Ｒ    右（他方）の整形パッド
１０    胸パッド部
１２    胸パッド部の内面
２０    肩当て部
２２    肩当て部の内面
３０    連結部
３２    連結部の内面
４０    脇シート
４１    脇シートの基端
４２    脇シートの先端
６０    オプションパッド
Ｂ１    胸パッド部と連結部との境界線の左端
Ｂ２    胸パッド部と連結部との境界線の右端
Ｂ３    肩当て部と連結部との境界線の左端
Ｂ４    肩当て部と連結部との境界線の右端
Ｂａ    胸パッド部と連結部との境界線
Ｂｂ    肩当て部と連結部との境界線
Ｃ      中心
ＣＢ    使用者の身体の中央
ＣＬ    中心線
Ｍａ    第１中点
Ｍｂ    第２中点
Ｎ      粘着剤
Ｗａ    胸パッド部の左右方向の幅
Ｗｂ    肩当て部の左右方向の幅
Ｗｃ    肩当て部の上下方向の幅
【図１】
0006960540.tif 000002
【図２】
0006960540.tif 000003
【図３】
0006960540.tif 000004
【図４】
0006960540.tif 000005
【図５】
0006960540.tif 000006
【図６】
0006960540.tif 000007
【図７】
0006960540.tif 000008
【図８】
0006960540.tif 000009
【図９】
0006960540.tif 000010
【図１０】
0006960540.tif 000011
【図１１】
0006960540.tif 000012
【図１２】
0006960540.tif 000013
【図１３】
0006960540.tif 000014
【図１４】
0006960540.tif 000015
【図１５】
0006960540.tif 000016